(57)【要約】【課題】ユーザが最後のトラックの楽曲を再生中に「アップ」ボタンを操作したときにも違和感を生じさせず、操作性が良好なＡＶ再生装置を提供する。【解決手段】複数のディスクを収納するディスクチェンジャーを備えたＡＶ再生装置において、ＡＶ再生装置の操作部には、少なくとも、次のトラックの再生を指示するための「トラックアップ」ボタン５３及び前のトラックの再生を指示するための「トラックダウン」ボタン５４が設けられている。ＡＶ再生装置は、Ｌ（Ｌ＝１，２，３，…）枚目のディスクの最後のトラックを再生中に「トラックアップ」ボタン５３が押下されると、Ｌ＋１枚目のディスクの最初のトラックの再生を開始する。【選択図】　　図２
2004118905.tif 000002
【特許請求の範囲】
【請求項１】
コンテンツが収録された複数のディスクを収納するチェンジャー部と、
前記チェンジャー部に収納されたディスクからコンテンツを再生するプレーヤ部と、
少なくとも、次のコンテンツの再生を指示するための「アップ」ボタン及び前のコンテンツの再生を指示するための「ダウン」ボタンが設けられた操作部と、前記操作部から出力される信号に応じて前記チェンジャー部及び前記プレーヤ部を制御する制御部とを有し、
前記制御部は、前記プレーヤ部でＬ（Ｌ＝１，２，３，…）枚目のディスクの最後のコンテンツを再生中に前記「アップ」ボタンが押下されると、Ｌ＋１枚目のディスクの最初のコンテンツの再生を開始することを特徴とするＡＶ再生装置。
【請求項２】
前記制御部は、Ｌ枚目のディスクの最初のコンテンツを再生中に前記「ダウン」ボタンが押下されると、Ｌ−１枚目のディスクの最後のコンテンツの再生を開始することを特徴とする請求項１に記載のＡＶ再生装置。
【請求項３】
Ｌ枚目のディスクの最後のコンテンツを再生中に前記「アップ」ボタンが２回連続して押下されると、前記制御部は前記Ｌ枚目のディスクの最初のコンテンツの再生を開始することを特徴とする請求項１又は２に記載のＡＶ再生装置。
【請求項４】
Ｌ枚目のディスクの最後のコンテンツを再生中に前記「アップ」ボタンが所定の時間以上押し続けられると、前記制御部は前記Ｌ枚目のディスクの最初のコンテンツの再生を開始することを特徴とする請求項１又は２に記載のＡＶ再生装置。
【発明の詳細な説明】
【０００１】
【発明の属する技術分野】
本発明は、ＣＤ（Ｃｏｍｐａｃｔ　Ｄｉｓｃ）、ＭＤ（Ｍｉｎｉ　Ｄｉｓｃ）及びＤＶＤ（Ｄｉｇｉｔａｌ　Ｖｅｒｓａｔｉｌｅ　Ｄｉｓｃ）等のディスクを再生するＡＶ（オーディオ・ビジュアル）再生装置に関し、特にディスクチェンジャーを備えたＡＶ再生装置に関する。
【０００２】
【従来の技術】
車載用オーディオシステムやホームオーディオシステムにディスク交換機能（ディスクチェンジャー）を有するディスク再生装置（ＣＤプレーヤ及びＭＤプレーヤなど）が広く使用されている。
【０００３】
例えば、車載用オーディオシステムは、種々の操作ボタンが設けられたコントロールユニットと、コントロールユニットからの信号に応じてＣＤの再生を行うＣＤ再生部と、複数のＣＤを収納し、コントロールユニットからの信号に応じて所定のＣＤをＣＤ再生部の再生位置にセットするＣＤチェンジャーとにより構成されている。
【０００４】
コントロールユニットには、ＣＤの再生開始時及び一時停止時に使用する「再生／一時停止」ボタン、再生を停止するときに使用する「停止」ボタン、再生するトラックを変更するときに使用する「トラックアップ」ボタン及び「トラックダウン」ボタン、再生するＣＤを変更するときに使用するディスク選択ボタンなどが設けられている。
【０００５】
例えば、Ｌ（Ｌ＝１，２，３，…）枚目のＣＤのＮ（Ｎ＝１，２，３，…）番目のトラックの楽曲を再生中に「トラックアップ」ボタンを１回押下すると、Ｎ＋１番目のトラックの楽曲の再生を開始する。また、Ｌ枚目のＣＤのＮ番目のトラックの楽曲を再生中に「トラックダウン」ボタンを１回押下すると、Ｎ番目のトラックの楽曲の最初から再生を開始し、「トラックダウン」ボタンを連続して２回押下すると、Ｎ−１番目のトラックの楽曲の再生を開始する。更に、Ｌ枚目のＣＤのＮ番目のトラックの楽曲を再生中に（Ｌ＋１）のディスク選択ボタンを押下すると、Ｌ＋１枚目のＣＤの１番目のトラックの楽曲の再生を開始し、（Ｌ−１）のディスク選択ボタンを押下すると、Ｌ−１枚目のＣＤの１番目のトラックの楽曲の再生を開始する。
なお、特開平６−１８０９２６号には、「一時停止」ボタンを押下した後に「トラックアップ」ボタン、「トラックダウン」ボタン、「ディスクアップ」ボタン又は「ディスクダウン」ボタン等を押下すると、次に再生すべきトラックをサーチした後に一時停止を自動的に解除して、サーチしたトラックの再生を開始する演奏装置が提案されている。
【０００６】
【特許文献１】
特開平６−１８０９２６号（第１図）
【０００７】
【発明が解決しようとする課題】
しかしながら、本願発明者等は、従来のＣＤチェンジャー付きＣＤプレーヤには以下に示す問題点があると考える。
【０００８】
すなわち、従来のＣＤチェンジャー付きＣＤプレーヤでは、通常の動作モード（連続再生モード）の場合、１枚目のＣＤの１番目のトラックから最後のトラックまで順番に楽曲を再生し、１枚目のＣＤの最後のトラックの再生が終了すると、２枚目のＣＤの１番目のトラックの再生を開始する。そして、２枚目のＣＤの最後のトラックの再生が終了すると３枚目のＣＤの再生を開始するというように、ＣＤチェンジャー内に収納されているＣＤを順番に再生する。しかし、Ｌ枚目のＣＤの最後のトラックの楽曲を再生中に「トラックアップ」ボタンを押下すると、Ｌ枚目のＣＤの１番目のトラックの楽曲の再生が開始される。
【０００９】
このように、楽曲を連続して再生しているときにはＬ枚目のＣＤの最後のトラックの再生が終了するとＬ＋１枚目のＣＤの再生が開始されるのに対し、Ｌ枚目のＣＤの最後のトラックを再生しているときに「トラックアップ」ボタンを押下すると、既に再生させた楽曲が再び再生されるので、ユーザに違和感を生じさせてしまう。
【００１０】
以上から、本発明の目的は、ユーザが最後のトラックの楽曲を再生中に「アップ」ボタンを操作したときにも違和感を生じさせず、操作性が良好なＡＶ再生装置を提供することである。
【００１１】
【課題を解決するための手段】
上記した課題は、コンテンツが収録された複数のディスクを収納するチェンジャー部と、前記チェンジャー部に収納されたディスクからコンテンツを再生するプレーヤ部と、少なくとも、次のコンテンツの再生を指示するための「アップ」ボタン及び前のコンテンツの再生を指示するための「ダウン」ボタンが設けられた操作部と、前記操作部から出力される信号に応じて前記チェンジャー部及び前記プレーヤ部を制御する制御部とを有し、前記制御部は、前記プレーヤ部でＬ（Ｌ＝１，２，３，…）枚目のディスクの最後のコンテンツを再生中に前記「アップ」ボタンが押下されると、Ｌ＋１枚目のディスクの最初のコンテンツの再生を開始することを特徴とするＡＶ再生装置により解決する。
【００１２】
本発明においては、制御部が、Ｌ枚目のディスクの最後のコンテンツを再生中に操作部の「アップ」ボタンが押下されたと検知すると、チェンジャー部及びプレーヤ部を制御してＬ＋１枚目のディスクの最初のコンテンツの再生を開始する。このように、既に再生させたＬ枚目のディスクの最初のコンテンツに戻るのではなく、チェンジャー部に収納された複数のディスクのコンテンツを連続して再生するようにＬ＋１枚目のディスクの最初のトラックに移行するので、ユーザは違和感を感じない。また、このときに「アップ」ボタンを押下するだけで次のディスクに移行するので、ディスク選択ボタンを操作する必要がなくなり、操作性が良好になる。
【００１３】
【発明の実施の形態】
以下、本発明の実施の形態について、添付の図面を参照して説明する。
【００１４】
図１は本発明の実施の形態のＡＶ再生装置の一例としてＣＤプレーヤの構成を示すブロック図である。
【００１５】
４３は電源スイッチや種々の操作ボタンが設けられた操作部、５０は操作部４３からの信号に応じて後述の各部を制御するシステムコントローラである。
【００１６】
１０は再生位置にあるＣＤ（以下、単に「ディスク」ともいう）である。ＣＤにはオーディオ信号の他に、当該ＣＤに収められているトラックの数及び各トラックの再生時間等のディスク情報（ＴＯＣ情報）が格納されている。１１は複数のディスクを収納するディスクチェンジャーである。ディスクチェンジャー１１は、システムコントローラ５０からの信号に応じて所定のディスクを再生位置に移動したり、再生位置にあるディスクをチェンジャー１１内の収納位置に戻すなどの動作を行う。
【００１７】
１２はディスク１０を回転させるスピンドルモータである。１４はディスク１０にレーザ光を照射し、その反射光によってディスク１０に記録されているデータを読み出してＲＦ信号を出力する光ピックアップである。１６は光ピックアップ１４が搭載されたスレッド（図示せず）をディスク１０の半径方向に移動する送りモータである。１８は送りモータ１６の駆動制御、光ピックアップ１４のトラッキング制御及びフォーカス制御、並びにスピンドルモータ１２の回転制御をするサーボ制御部である。
【００１８】
２２は光ピックアップ１４から出力されたＲＦ信号を増幅して次段に伝達するＲＦアンプである。また、ＲＦアンプ２２は、ＲＦ信号からフォーカスサーチ及びトラッキング等の制御信号を分離して、これらの制御信号をサーボ制御部１８に伝達する。２４はデジタル信号処理部であり、ＲＦアンプ２２から出力されたＲＦ信号を信号処理してデジタルオーディオ信号を出力するとともに、ＲＦ信号に含まれる制御信号の一部を分離する。分離された制御信号はサーボ制御部１８及びシステムコントローラ５０に送られる。デジタル信号処理部２４からシステムコントローラ５０に送られる制御信号には、再生中のトラックの番号及び経過時間等の情報が含まれている。
【００１９】
２８はデジタル信号処理部２４から出力されたデジタルオーディオ信号をアナログオーディオ信号（音声信号）に変換するＤ／Ａ（デジタル／アナログ）変換器である。このＤ／Ａ変換器２８から出力されたアナログオーディオ信号は、アンプ（図示せず）を介してスピーカー（図示せず）に送られる。
【００２０】
４０は液晶パネル等により構成される表示部である。この表示部４０は、システムコントローラ５０からディスクの再生状況やディスク情報等の信号を入力し、再生中のＣＤの番号、再生中のトラックの番号及び再生経過時間等を表示する。
【００２１】
図２は、本実施の形態のＣＤプレーヤのフロントパネルの一例を示す図である。
【００２２】
図２に示すように、ＣＤプレーヤのフロントパネルは、操作部４３を構成する種々の操作ボタン等と、表示部４０を構成する表示パネル４１とが取り付けられている。
【００２３】
フロントパネルには、電源をＯＮ／ＯＦＦするための電源スイッチ５１と、ディスクの再生開始時及び一時停止時に使用する「再生／一時停止」ボタン５２と、次のトラックに移動するときに使用する「トラックアップ」ボタン５３と、前のトラックに移動するときに使用する「トラックダウン」ボタン５４と、音量を調節するときに使用する音量調節つまみ５５と、ディスクチェンジャー１１に収納されたディスクを選択するときに使用するディスク選択ボタン５６と、再生を停止するときに使用する「停止」ボタン５７とが設けられている。ディスク選択ボタン５６には、「１」、「２」、・・・、「６」の６つの数字が付されており、それぞれの数字はディスクチェンジャー１１に収納されたディスクの収納位置と対応している。
【００２４】
以下、上述したＣＤプレーヤーの動作について、図３，４，５に示すフローチャートを参照して説明する。なお、あらかじめ、ディスクチェンジャー１１には６枚のディスクが装填されているものとする。
【００２５】
まず、ユーザが電源スイッチ５１をＯＮにすると、ステップＳ１１において、ＣＤプレーヤが起動して初期化を行う。つまり、再生するＣＤの番号を示す変数Ｌの値を１とし、再生するトラックの番号を示す変数Ｎの値を１とする。その後、ユーザが「再生／一時停止」ボタン５２を押下してディスクの再生開始を指示すると、ステップＳ１２において、システムコントローラ５０は、ディスクチェンジャー１１を制御して１枚目のディスク（Ｌ＝１）を再生位置に移動し、そのディスクの１番目のトラック（Ｎ＝１）の楽曲の再生を開始する。
【００２６】
次に、ステップＳ１３に移行し、システムコントローラ５０は、ユーザが「トラックアップ」ボタン５３が押下されたかどうかを調べる。「トラックアップ」ボタン５３が押下されたと判定したときはステップＳ２１に移行し、「トラックアップ」ボタン５３が押下されていないと判定したときはステップＳ１４に移行する。ここでは、「トラックアップ」ボタン５３が押下されていないと判定し、ステップＳ１４に移行したものとする。
【００２７】
ステップＳ１４において、システムコントローラ５０は、「トラックダウン」ボタン５４が押下されたかどうかを調べる。「トラックダウン」ボタン５４が押下されたと判定したときはステップＳ２６に移行し、「トラックダウン」ボタン５４が押下されていないと判定したときはステップＳ１５に移行する。ここでは、「トラックダウン」ボタン５４が押下されていないと判定し、ステップＳ１５に移行したものとする。
【００２８】
ステップＳ１５において、システムコントローラ５０は、「停止」ボタン５７が押下されたかどうかを調べる。「停止」ボタン５７が押下されたと判定したときはＣＤプレーヤの動作は終了し、「停止」ボタン５７が押下されていないと判定したときはステップＳ１６に移行する。ここでは、「停止」ボタン５７が押下されていないと判定し、ステップＳ１６に移行したものとする。
【００２９】
ステップＳ１６において、システムコントローラ５０は、デジタル信号処理部２４からディスクの再生状況を入力してＬ枚目（１枚目）のディスクのＮ番目（１番目）のトラックの楽曲の再生が終了したかどうかを調べる。Ｎ番目のトラックの楽曲の再生が終了していないと判定したときはステップＳ１３に戻り、再びステップＳ１３からステップＳ１６までを繰り返す。このようにして、楽曲を再生している間、システムコントローラ５０は、「トラックアップ」ボタン５３、「トラックダウン」ボタン５４及び「停止」ボタン５７の押下の有無を監視している。
【００３０】
ステップＳ１６において、Ｎ番目のトラックの再生が終了したと判定したときはステップＳ１７に移行し、システムコントローラ５０は、デジタル信号処理部２４から出力されるディスク情報に基づいてＮ番目のトラックがＬ枚目のディスクの最後のトラック（ＮＥＮＤ　）かどうかを判定する。
【００３１】
Ｎ番目のトラックがＬ枚目のディスクの最後のトラックではない（Ｎ≠ＮＥＮＤ　）と判定したときはステップＳ１８に移行し、変数Ｎの値をＮ＋１に更新する。その後、ステップＳ１２に戻り、システムコントローラ５０は、Ｎ番目（２番目）のトラックの楽曲の再生を開始する。
【００３２】
このようにして、再生途中で「トラックアップ」ボタン５３、「トラックダウン」ボタン５４及び「停止」ボタン５７が押下されない場合、１枚目のディスクの１番目のトラックから最後のトラックまで、順番に楽曲を再生する。
【００３３】
ステップＳ１７において、Ｎ番目のトラックがＬ枚目のディスクの最後のトラックである（Ｎ＝ＮＥＮＤ　）と判定したときはステップＳ１９に移行し、システムコントローラ５０は、変数Ｌの値をＬ＋１に更新し、変数Ｎの値を１に更新する。その後、ステップＳ１２に戻り、システムコントローラ５０は、Ｌ枚目（２枚目）のディスクのＮ番目（１番目）のトラックの楽曲の再生を開始する。
【００３４】
このようにして、再生中に「トラックアップ」ボタン５３、「トラックダウン」ボタン５４等の操作ボタンを押下しないときは、本実施の形態のＣＤプレーヤは従来のＣＤプレーヤと同様に１枚目のディスクから最後のディスクまで、順番に再生を行う。
【００３５】
ステップＳ１３において、「トラックアップ」ボタン５３が押下されたとシステムコントローラ５０が判定したときはステップＳ２１に移行する。ステップＳ２１において、システムコントローラ５０は、現在再生中のトラックが最後のトラック（ＮＥＮＤ　）かどうかを判定する。再生中のトラックが最後のトラックではないと判定したとき（Ｎ≠ＮＥＮＤ　）はステップＳ２２に移行し、システムコントローラ５０は、変数Ｎの値をＮ＋１に更新する。その後、ステップＳ１２に戻り、Ｎ番目のトラックの再生を開始する。
【００３６】
ステップＳ２１において、現在再生中のトラックが最後のトラックであると判定したとき（Ｎ＝ＮＥＮＤ　）はステップＳ２３に移行し、システムコントローラ５０は、ユーザが「トラックアップ」ボタン５３を押下した回数が１回か否かを判定する。「トラックアップ」ボタン５３の押下回数が１回のときはステップＳ２４に移行し、システムコントローラ５０は、変数Ｌの値をＬ＋１に更新し、変数Ｎの値を１に更新する。その後、ステップＳ１２に戻り、システムコントローラ５０は、Ｌ枚目のディスクのＮ番目のトラックの再生を開始する。
【００３７】
また、ステップＳ２３において、「トラックアップ」ボタン５３の押下回数が１回ではないと判定したとき（連続して２回押下したとき）はステップＳ２５に移行し、システムコントローラ５０は、変数Ｌの値を変更せず、変数Ｎの値を１に更新する。その後、ステップＳ１２に戻り、Ｌ枚目のディスクのＮ番目の楽曲の再生を開始する。
【００３８】
すなわち、本実施の形態においては、Ｌ枚目のディスクの最後のトラックの楽曲を再生しているときに、「トラックアップ」ボタン５３を１回だけ押下すると次のディスクの１番目のトラックの楽曲の再生を開始し、「トラックアップ」ボタン５３を連続して２回押下すると現在再生中のディスクの１番目のトラックの楽曲の再生を開始する。なお、「トラックアップ」ボタン５３を２回押下する替わりに、「トラックアップ」ボタン５３を長押ししたとき（所定の時間以上押し続けたとき）に現在再生中のディスクの１番目のトラックの楽曲の再生を開始するようにしてもよい。
【００３９】
ステップＳ１４において、「トラックダウン」ボタン５４が押下されたとシステムコントローラ５０が判定したときはステップＳ２６に移行する。ステップＳ２６において、システムコントローラ５０は、「トラックダウン」ボタン５４の押下回数が１回か否かを判定する。「トラックダウン」ボタン５４の押下回数が１回と判定したときはステップＳ１２に戻り、現在再生中のトラックの楽曲を最初から再生する。
【００４０】
ステップＳ２６において、「トラックダウン」ボタン５４の押下回数が１回ではない（連続して２回押下したとき）と判定したときはステップＳ２７に移行し、システムコントローラ５０は、変数Ｎの値が１か否かを判定する。Ｎの値が１ではない（Ｎ≠１）と判定したときはステップＳ２８に移行し、システムコントローラ５０は、Ｎの値をＮ−１に更新する。その後、ステップＳ１２に戻り、Ｎ番目のトラックの楽曲の再生を開始する。
【００４１】
一方、ステップＳ２７において、Ｎの値が１（Ｎ＝１）と判定したときはステップＳ２９に移行し、システムコントローラ５０は、変数Ｌの値をＬ−１に更新し、変数Ｎの値をＮＥＮＤ　に更新する。その後、ステップＳ１２に戻り、Ｌ枚目のディスクのＮ番目のトラックの楽曲の再生を開始する。
【００４２】
すなわち、「トラックダウン」ボタン５４を連続して２回押下すると、現在再生中のトラックがそのディスクの最初のトラックでない場合は現在再生中のトラックの１つ前のトラックの再生を開始し、現在再生中のトラックがそのディスクの最初のトラックの場合は現在再生中のディスクの１つ前のディスクの最後のトラックの再生を開始する。なお、「トラックダウン」ボタン５４を２回押下する替わりに、「トラックダウン」ボタン５４を長押ししたとき（所定の時間以上押し続けたとき）にステップＳ２７に移行してもよい。
【００４３】
更に、ステップＳ１５において、「停止」ボタン５７が押下されたと判定したときは、再生を停止する。
【００４４】
上述したように、本実施の形態においては、Ｌ枚目のディスクの最後のトラックを再生中にユーザが「トラックアップ」ボタン５３を１回だけ押下すると、ＣＤプレーヤでは次のディスクの１番目のトラックの再生を開始する。このように、既に再生済みのＬ枚目のディスクの１番目のトラックに戻るのではなく、ディスクチェンジャー１１に収納されたディスクを連続して再生するように次（Ｌ＋１枚目）のディスクの１番目のトラックに移行するので、ユーザは違和感を感じない。また、このときに「トラックアップ」ボタン５３を１回だけ押下するだけで次のディスクに移行するので、ディスク選択ボタン５６を操作する必要がなくなり、操作性が良好になる。
【００４５】
また、本実施の形態においては、Ｌ枚目のディスクの１番目のトラックを再生中にユーザが「トラックダウン」ボタン５４を連続して２回押下すると、現在再生中のディスクの１つ前のディスクの最後のトラックの再生を開始する。このように、再生途中の１番目のトラックを再び最初から再生するのではなく、１つ前（Ｌ−１枚目）のディスクの最後のトラックを再生するので、ユーザは違和感を感じない。また、この場合もディスク選択ボタン５６を操作する必要がなくなるので、操作性が良好になる。
【００４６】
なお、上述したＣＤプレーヤにおいては、ＣＤとディスクのサイズが同じであるＣＤ−Ｒ（Ｃｏｍｐａｃｔ　Ｄｉｓｃ−Ｒｅｃｏｒｄａｂｌｅ　）又はＣＤ−ＲＷ（Ｃｏｍｐａｃｔ　Ｄｉｓｃ−Ｒｅｗｒｉｔａｂｌｅ　）をディスクチェンジャー１１に収納し、再生してもよい。
【００４７】
また、本実施の形態では、本発明のＡＶ再生装置としてＣＤプレーヤを例にして説明してきたが、ＤＶＤ及びＭＤを再生するＤＶＤプレーヤ及びＭＤプレーヤにも本発明を適用してもよい。なお、ＤＶＤプレーヤにおいて、現在再生しているチャプターから次のチャプターに移行するときに使用する「チャプターアップ」ボタン、及び、１つ前のチャプターに移行するときに使用する「チャプターダウン」ボタンが、本実施の形態の「トラックアップ」ボタン５３及び「トラックダウン」ボタン５４に相当する。
【００４８】
【発明の効果】
以上説明したように、本発明のＡＶ再生装置によれば、制御部が、Ｌ枚目のディスクの最後のコンテンツを再生中に「アップ」ボタンが押下されたことを検出すると、チェンジャー部及びプレーヤ部を制御してＬ＋１枚目のディスクの最初のコンテンツの再生を開始する。このように、既に再生させたディスクの最初のコンテンツに戻るのではなく、チェンジャー部に収納された複数のディスクのコンテンツを連続して再生するようにＬ＋１枚目のディスクの最初のコンテンツに移行するので、ユーザは違和感を感じない。また、このときに「アップ」ボタンを押下するだけで次のディスクに移行するので、ディスク選択ボタンを操作する必要がなくなり、操作性が良好になる。
【図面の簡単な説明】
【図１】図１は、本発明の実施の形態のＡＶ再生装置の一例としてＣＤプレーヤの構成を示すブロック図である。
【図２】図２は、ＣＤプレーヤのフロントパネルの一例を示す模式図である。
【図３】図３は、ＣＤプレーヤの動作を示すフローチャート（その１）である。
【図４】図４は、ＣＤプレーヤの動作を示すフローチャート（その２）である。
【図５】図５は、ＣＤプレーヤの動作を示すフローチャート（その３）である。
【符号の説明】
１０…ディスク、
１１…ディスクチェンジャー、
１２…スピンドルモータ、
１４…光ピックアップ、
１６…送りモータ、
１８…サーボ制御部、
２２…ＲＦアンプ、
２４…デジタル信号処理部、
２８…Ｄ／Ａ変換器、
４０…表示部、
４１…表示パネル、
４３…操作部、
５０…システムコントローラ、
５１…電源スイッチ、
５２…「再生／一時停止」ボタン、
５３…「トラックアップ」ボタン、
５４…「トラックダウン」ボタン、
５５…音量調節つまみ、
５６…ディスク選択ボタン、
５７…「停止」ボタン。
【図１】
2004118905.tif 000003
【図２】
2004118905.tif 000004
【図３】
2004118905.tif 000005
【図４】
2004118905.tif 000006
【図５】
2004118905.tif 000007